(57)【要約】【課題】撮影者に対して撮影前情報は外光下でも見易くすることを可能とし、バルブ撮影時の情報は眩しくないようにすることを可能とした撮像装置を提供する。【解決手段】デジタル一眼レフカメラは、システムコントローラ50、液晶モニタ28等を備える。システムコントローラ50は、撮影前情報を液晶モニタ28に表示する場合は、日中の屋外など周囲が明るい場合でも文字が見えやすいように白色の背景に黒色の文字を表示する。システムコントローラ50は、バルブ撮影時の累積露光時間を液晶モニタ28に表示する場合は、眩しさを抑えるために黒色の背景に白色の文字を表示する。【選択図】図４
2008035389.tif 000002
【特許請求の範囲】
【請求項１】
バルブ撮影が可能な撮像装置であって、
情報を表示する表示手段と、
前記表示手段に撮影条件情報を表示する場合は薄色の背景に濃色の文字により前記撮影条件情報を表示し、前記表示手段にバルブ撮影動作情報を表示する場合は濃色の背景に薄色の文字により前記バルブ撮影動作情報を表示する制御を行う表示制御手段と、
を備えることを特徴とする撮像装置。
【請求項２】
前記表示制御手段は、前記表示手段に前記撮影条件情報を表示する場合は白色の背景に黒色の文字により前記撮影条件情報を表示し、前記表示手段に前記バルブ撮影動作情報を表示する場合は黒色の背景に白色の文字により前記バルブ撮影動作情報を表示する制御を行うことを特徴とする請求項１記載の撮像装置。
【請求項３】
前記撮影条件情報は、シャッタ速度、絞り値、撮影可能枚数を含むことを特徴とする請求項１または２記載の撮像装置。
【請求項４】
前記バルブ撮影動作情報は、露光時間を累積した累積露光時間を含むことを特徴とする請求項１ないし３のいずれかに記載の撮像装置。
【請求項５】
前記表示手段は、前記撮像装置により撮像された画像の表示も兼用することを特徴とする請求項１ないし４のいずれかに記載の撮像装置。
【請求項６】
情報を表示する表示手段を備えると共にバルブ撮影が可能な撮像装置の制御方法であって、
前記表示手段に撮影条件情報を表示する場合は薄色の背景に濃色の文字により前記撮影条件情報を表示し、前記表示手段にバルブ撮影動作情報を表示する場合は濃色の背景に薄色の文字により前記バルブ撮影動作情報を表示する制御を行うことを特徴とする制御方法。
【請求項７】
前記請求項６記載の撮像装置の制御方法をコンピュータに実行させるためのプログラム。
【発明の詳細な説明】
【技術分野】
【０００１】
本発明は、表示手段を備えた撮像装置、制御方法、及びプログラムに関する。
【背景技術】
【０００２】
従来、バルブ撮影時における露光時間を累積した累積露光時間を表示する機能を有するカメラが提案されている。また、バルブ撮影時における累積露光時間の表示形態の一例としては、カメラで撮影した画像を表示する表示装置で累積露光時間を兼用して表示する表示形態が提案されている（例えば、特許文献１参照）。
【特許文献１】特開２００２−３３５４２７号公報
【発明の開示】
【発明が解決しようとする課題】
【０００３】
通常、バルブ撮影は暗いところで行われるものであるので、累積露光時間の表示形態によっては、使用者にとって表示が眩しく、わずらわしいという問題がある。しかし、上記従来例では、この点については、なんら開示されていない。
【０００４】
本発明の目的は、撮影者に対して撮影前情報は外光下でも見易くすることを可能とし、バルブ撮影時の情報は眩しくないようにすることを可能とした撮像装置、制御方法、及びプログラムを提供することにある。
【課題を解決するための手段】
【０００５】
上述の目的を達成するために、本発明の撮像装置は、バルブ撮影が可能な撮像装置であって、情報を表示する表示手段と、前記表示手段に撮影条件情報を表示する場合は薄色の背景に濃色の文字により前記撮影条件情報を表示し、前記表示手段にバルブ撮影動作情報を表示する場合は濃色の背景に薄色の文字により前記バルブ撮影動作情報を表示する制御を行う表示制御手段とを備えることを特徴とする。
【発明の効果】
【０００６】
本発明によれば、撮影条件情報は表示手段の薄色の背景に濃色の文字で表示し、バルブ撮影動作情報は表示手段の濃色の背景に薄色の文字で表示する。これにより、撮影者に対して、撮影条件情報は日中の屋外など周囲が明るい外光下でも見易くすることが可能となると共に、比較的暗いところで使用するバルブ撮影動作情報は眩しくないようにすることが可能となる。
【発明を実施するための最良の形態】
【０００７】
以下、本発明の実施の形態を図面を参照して説明する。
【０００８】
図１は、本発明の実施の形態に係る撮像装置としてのカメラを前面側から見た撮影レンズユニットを外した状態を示す斜視図である。図２は、カメラの上面図である。図３は、カメラの背面図である。
【０００９】
図１乃至図３において、本実施の形態のカメラは、撮影レンズユニット（図４参照）を装着する機構、各種ボタン、表示装置等がカメラ本体１００の各部に配設されたデジタル一眼レフカメラとして構成されている。カメラ本体１００には、撮影時に撮影者がカメラを安定して握り易いように前方に突出したグリップ部５０１が設けられている。レンズマウント３１０は、撮影レンズユニットをカメラ本体１００に着脱可能に装着するための機構である。
【００１０】
マウント接点３１１は、カメラ本体１００と撮影レンズユニットとの間で送受される制御信号、状態信号、データ信号などを介在すると共に、撮影レンズユニット側に電力を供給する機能を有する。レンズロック解除ボタン５０４は、撮影レンズユニットをカメラ本体１００から取り外す際に押し込む際に操作する。ミラーボックス５０２は、カメラ本体１００内部に配設されている。カメラによる撮影に伴い撮影レンズを通過した撮影光束は、ミラーボックス５０２へ導かれる。
【００１１】
ミラーボックス５０２へ導かれた撮影光束は、ファインダ光学系へ向けてメインミラー１でその一部が反射される。カメラ本体１００のグリップ部５０１に対して反対側の側面には、開閉可能な外部端子蓋５０６が設けられている。外部端子蓋５０６を開けた内部には、外部インタフェースとしてビデオ信号出力用ジャック（不図示）とＵＳＢ出力用コネクタ（不図示）が収納されている。
【００１２】
カメラ本体１００の上部のグリップ部側には、シャッタボタン６２、メイン電子ダイアル６５が配置されている。シャッタボタン６２は、撮影を開始する際の起動スイッチとなる。メイン電子ダイアル６５は、撮影時の動作モードに応じてシャッタスピードやレンズ絞り値を設定する際に操作する。これらの操作部材の操作結果の一部は、後述する液晶モニタ２８に表示される。シャッタボタン６２は、第１ストロークでＳＷ１・６３（後述）がオンし、第２ストロークでＳＷ２・６４（後述）がオンする構成となっている。
【００１３】
カメラ本体１００の上部中央には、カメラ本体１００に対してポップアップするストロボユニット５００と、フラッシュ取付け用のアクセサリシュー４１０と、フラッシュ接点４１１が配置されている。カメラ本体１００の上部右寄りには、撮影モードダイアル６０が配置されている。メインスイッチ６１は、カメラの動作を起動（電源オン）もしくは停止（電源オフ）する際に操作する。
【００１４】
カメラ本体１００の背面の上方部には、ファインダ接眼窓５０９が設けられ、更にカメラ本体１００の背面の中央付近には、液晶モニタ２８が設けられている。液晶モニタ２８の周囲には、以下の各種設定ボタンが配置されている。液晶モニタの表示／非表示の切り替え等の操作を行うＤＩＳＰＬＡＹ（以後、ＤＩＳＰ）ボタン６６。メニュー画面の呼び出し等の操作を行うＭＥＮＵボタン６７。メニュー画面のタブ切り替え等の操作を行うＪＵＭＰボタン６８。撮影した画像の再生等の操作を行う再生ボタン６９。撮影した画像の消去等の操作を行う消去ボタン７０。
【００１５】
撮影した画像の印刷等の操作を行うイージーダイレクトボタン７１。測距点選択ボタン７２。ＡＥロックボタン７３。露出補正設定ボタン７４。セルフタイマ撮影、連写、単写の選択等を行うドライブモード設定ボタン７５。ＩＳＯ感度設定ボタン７６（上方向選択ボタン）。ホワイトバランス選択ボタン７７（下方向選択ボタン）。測光モード選択ボタン７８（左方向選択ボタン）。測距モード選択ボタン７９（右方向選択ボタン）。写真表現や被写体に合わせて画像特性を選択するピクチャスタイル選択ボタン８０。
【００１６】
ＩＳＯ感度設定ボタン７６、ホワイトバランス選択ボタン７７、測光モード選択ボタン７８、測距モード選択ボタン７９は、液晶モニタ２８に表示されるメニュー画面や各種設定画面ではそれぞれ上下左右方向の選択を行う方向選択ボタンとして機能する。また、ピクチャスタイル選択ボタン８０は、メニュー画面や各種設定画面では選択した項目の確定を行うＳＥＴボタンとして機能する。
【００１７】
本実施の形態では、ドライブモード設定ボタン７５、ホワイトバランス選択ボタン７７、測光モード選択ボタン７８、測距モード選択ボタン７９は、液晶モニタ２８に撮影条件選択画面（図２２〜図２７）の表示を指示する際に操作する。メイン電子ダイアル６５、測光モード選択ボタン７８、測距モード選択ボタン７９は、撮影条件選択画面（図２２〜図２７）の中央帯状部分の後述のモードを選択（変更）する際に操作する。
【００１８】
また、本実施の形態では、撮影前情報（図２１）と再生画像（図１２）を液晶モニタ２８で兼用して表示する。更に、撮影条件情報表示画面（図２１）における撮影に関する設定表示領域（中央帯状部分）と、撮影条件選択画面（図２２〜図２７）における撮影に関する設定選択領域（中央帯状部分）とが略同一となるように設定されている。これにより、液晶モニタ２８のように表示情報量の多い画面においても見易く且つ分り易い表示を実現している。
【００１９】
また、本実施の形態では、撮影条件選択画面から撮影条件情報表示画面へ移行する条件は、ピクチャスタイル選択ボタン（ＳＥＴボタン）８０の操作またはシャッタボタン６２の操作（第１のシャッタスイッチＳＷ１・６３がオン）が行われた場合である。
【００２０】
図４は、カメラの電気的な構成を示すブロック図である。
【００２１】
図４において、カメラ本体１００は、システムコントローラ５０、液晶モニタ２８等を備えており、記録媒体２００、撮影レンズユニット３００、外付けストロボ４００が着脱可能となっている。カメラ本体１００において、メインミラー１は、ファインダ観察状態では撮影光路内に斜めに配置（斜設）され、撮影状態では撮影光路外に退避する。また、メインミラー１は、ハーフミラーとなっており、撮影光路内に斜設されているときは、後述する焦点検出光学系へ被写体からの光線の一部を透過させる。ピント板２は、後述の撮影レンズ３０１で結像された被写体の光学像が投影される。
【００２２】
サブミラー３は、メインミラー１と共に、ファインダ観察状態では撮影光路内に斜設され、撮影状態では撮影光路外に退避する。サブミラー３は、斜設されたメインミラー１を透過した光線を下方に折り曲げて、焦点検出部８の方に導くものである。焦点検出部８は、公知の位相差方式で焦点検出を行う。ペンタプリズム４は、ファインダ光路を変更する。アイピースレンズ５は、撮影者がアイピースレンズ５を通してピント板２を観察することで撮影画面を観察することができる。
【００２３】
測光レンズ６及び測光センサ７は、ファインダ観察画面内の被写体輝度を測定するためのものである。測光センサ７は、公知の対数圧縮回路を内蔵しているので、その出力は対数圧縮されたものとなる。シャッタ９は、フォーカルプレーン型のシャッタである。撮像素子１４は、ＣＣＤ、ＣＭＯＳ等から構成されており、被写体の光学像を電気信号に光電変換する。ミラー位置検出部１１は、フォトインタラプタやフォトリフレクタ、或いは機械的にオン／オフするスイッチ（ＳＷ）等から構成されており、メインミラー１が動作状態の時に所定の位置にあることを検出する。
【００２４】
ディスプレイオフセンサ１０は、投光ＩＲＥＤ（不図示）と受光センサ（不図示）から構成されている。投光ＩＲＥＤから赤外光を投光し、被写体（人物）の顔面から反射した赤外光を受光センサで検知することにより、顔面の近接を検知可能なように構成されている。Ａ／Ｄ変換器１６は、撮像素子１４から出力されるアナログ信号をデジタル信号に変換する。タイミング発生回路１８は、撮像素子１４、Ａ／Ｄ変換器１６、Ｄ／Ａ変換器２６にクロック信号や制御信号を供給するものであり、メモリ制御回路２２及びシステムコントローラ５０により制御される。
【００２５】
画像処理回路２０は、Ａ／Ｄ変換器１６からのデータ或いはメモリ制御回路２２からのデータに対して所定の画素補間処理や色変換処理を行う。また、画像処理回路２０は、撮像素子１４で撮像した画像データを用いて所定の演算処理を行い、得られた演算結果に基づいてＴＴＬ方式のＡＷＢ（オートホワイトバランス）処理も行っている。
【００２６】
メモリ制御回路２２は、Ａ／Ｄ変換器１６、タイミング発生回路１８、画像処理回路２０、画像表示メモリ２４、Ｄ／Ａ変換器２６、第１のメモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いは第１のメモリ３０に書き込まれる。画像表示メモリ２４は、液晶モニタ２８に表示する画像データを記憶する。Ｄ／Ａ変換器２６は、デジタル信号をアナログ信号に変換する。
【００２７】
液晶モニタ２８は、再生画像、撮影条件情報表示画面（図２１）、撮影条件選択画面（図２２〜図２７）等の表示を行う。液晶モニタ２８は、透過型のＴＦＴ液晶及びその表示を照明するバックライトから構成されており、暗黒中でも表示が視認可能な自発光型の表示装置である。画像表示メモリ２４に書き込まれた表示用の画像データは、Ｄ／Ａ変換器２６を介して液晶モニタ２８により表示される。ここで、撮影条件情報は、撮影準備状態で撮影者に提示される情報（シャッタ速度、絞り値、撮影可能枚数等を含む）であり、撮影情報は、実際の撮影のために撮影者により設定される情報である。
【００２８】
尚、本実施の形態では、カメラの表示装置としてバックライトを有する液晶モニタ２８を使用した場合を例に挙げているが、これに限定されるものではなく、他の方式（例えば有機ＥＬ等の自己発光型）の表示装置を用いてもよい。
【００２９】
第１のメモリ３０は、撮影した画像データを格納するものであり、所定枚数の静止画像データを格納するのに十分な記憶量を備えている。また、第１のメモリ３０は、システムコントローラ５０の作業領域としても使用することが可能である。圧縮・伸長回路３２は、適応離散コサイン変換（ＡＤＣＴ）等により画像データを圧縮／伸長するものであり、第１のメモリ３０に格納された画像データを読み込んで圧縮処理或いは伸長処理を行い、処理を終えた画像データを第１のメモリ３０に書き込む。
【００３０】
シャッタ制御部（露光制御部）４０は、フォーカルプレーン型のシャッタ９を制御する。ミラー制御部４１は、メインミラー１をアップ／ダウンさせるためのモータと駆動回路から構成されている。システムコントローラ５０は、カメラ本体１００の全体を制御するものであり、液晶モニタ２８を含む各表示部の表示制御、後述の光学フィルタ４４表面に付着した異物を除去する制御等を行う。また、システムコントローラ５０は、プログラムに基づき後述の各フローチャートに示す処理を実行する。第２のメモリ５２は、システムコントローラ５０の動作用の定数、変数、プログラム等を記憶する。
【００３１】
光学フィルタ４４は、水晶の複屈折板から構成されており、位相板と赤外カットフィルタを積層した光学素子と合わせて光学ローパスフィルタとして機能するものであり、撮像素子１４の光電変換面の前方に配置されている。圧電素子４３は、積層型として構成されており、システムコントローラ５０に指令を受けた圧電素子駆動回路４２により所定の駆動パターンで加振され、その振動を光学フィルタ４４に伝える。これにより、光学フィルタ４４表面に付着した塵埃等の異物を除去する動作（以後、異物除去動作と表記）を実施可能となっている。
【００３２】
内蔵ストロボ（内蔵閃光装置）１２０は、カメラ本体１００に内蔵され、被写体に対して閃光を発するものであり、Ｘｅ（キセノン）管１２１、反射笠１２２、発光制御回路１２３、充電回路１２４を備えている。発光制御回路１２３は、Ｘｅ管１２１の発光を制御するＩＧＢＴ等から構成されている。充電回路１２４は、Ｘｅ管１２１に給電する３００Ｖ程度の電圧を発生する。
【００３３】
ファインダ内表示部５４は、システムコントローラ５０におけるプログラムの実行に応じて、カメラの動作状態やメッセージ等を表示する、バックライトを有する液晶表示装置として構成されている。ファインダ内表示部５４は、撮影者がファインダを観察した際にピント板２の下部に見えるように構成されている。ファインダ内表示部５４の表示内容としては、合焦表示、ＡＥロック／ＦＥロック表示、フラッシュ充電表示、赤目緩和設定表示、シャッタ速度表示、絞り値表示、露出レベル／露出補正表示、連続撮影可能枚数表示等がある。不揮発性メモリ５６は、データを電気的に消去／記録することが可能であり、例えばＥＥＰＲＯＭ等が用いられる。
【００３４】
カメラの操作系は、システムコントローラ５０に対する各種の動作指示を入力するものであり、スイッチ、ダイアル、レバー等から構成されている。モードダイアル６０は、上述のとおり、撮影モードを切り替える設定を行うことができる。第１のシャッタスイッチＳＷ１・６３は、シャッタボタン６２（図２）の半押しでオンとなり、ＡＦ（オートフォーカス）処理、ＡＥ（自動露出）処理等の動作開始を指示する。
【００３５】
また、第１のシャッタスイッチＳＷ１・６３のオンで所定時間の測光タイマが起動する。測光タイマの動作中は、測光結果より演算されたシャッタ速度、絞り値、露出レベル表示がファインダ内表示部５４や液晶モニタ２８に表示される。測光タイマは、第１のシャッタスイッチＳＷ１・６３のオンの継続や、メイン電子ダイアル６５、ＡＥロックボタン７３等の操作部材の操作により更新される。
【００３６】
第２のシャッタスイッチＳＷ２・６４は、シャッタボタン６２（図２）の全押しでオンとなり、以下の一連の処理の動作開始を指示する。撮像素子１４から読み出された信号をＡ／Ｄ変換器１６、メモリ制御回路２２を介して第１のメモリ３０に画像データを書き込む露光処理。画像処理回路２０やメモリ制御回路２２での演算結果を用いた現像処理。第１のメモリ３０から画像データを読み出し、圧縮・伸長回路３２で圧縮を行い、記録媒体２００に画像データを書き込む記録処理。
【００３７】
上述のとおり、メインスイッチ６１は、カメラの電源をオン／オフする際に操作する。また、メイン電子ダイアル６５は、撮影に関する選択／設定を行う際に操作する。メイン電子ダイアル６５を１クリック回転操作することにより、位相のずれた２ビットの信号をシステムコントローラ５０に送る。これにより、システムコントローラ５０によりメイン電子ダイアル６５の回転方向と回転クリック数が検出される。
【００３８】
操作部１０１は、以下に示す各種ボタン類から構成されている。各種ボタン類としては、ＤＩＳＰボタン６６、ＭＥＮＵボタン６７、ＪＵＭＰボタン６８、再生ボタン６９、消去ボタン７０、イージーダイレクトボタン７１、測距点選択ボタン７２、ＡＥロックボタン７３、露出補正設定ボタン７４がある。各種ボタン類としては、更に、ドライブモード設定ボタン７５、ＩＳＯ感度設定ボタン７６、ホワイトバランス選択ボタン７７、測光モード選択ボタン７８、測距モード選択ボタン７９、ピクチャスタイル選択ボタン８０がある。
【００３９】
電源制御部８５は、電池検出回路、ＤＣ−ＤＣコンバータ、通電するブロックを切り替えるスイッチ回路等により構成されている。電源制御部８５は、カメラ本体１００に対する電源部８６の装着の有無、電池の種類、電池残量の検出を行う。更に、電源制御部８５は、前記検出結果及びシステムコントローラ５０の指示に基づいて内部のＤＣ−ＤＣコンバータを制御し、必要な電圧（電力）を必要な期間、記録媒体２００を含む各部へ供給する。
【００４０】
電源部端子８７は、カメラ本体側の端子である。電源部端子８８は、電源部側の端子である。電源部８６は、アルカリ電池・リチウム電池等の一次電池、ＮｉＣｄ電池・ＮｉＭＨ電池・Ｌｉ電池等の二次電池、ＡＣアダプタ等から構成されている。
【００４１】
インタフェース部９０は、記録媒体２００とのインタフェースを司る。カメラ本体側記録媒体コネクタ９２は、記録媒体２００と接続を行う。インタフェース部９０及びカメラ本体側記録媒体コネクタ９２としては、ＰＣＭＣＩＡカードやＣＦ（コンパクトフラッシュ（登録商標））カード等の規格に準拠したものを用いて構成している。記録媒体２００は、半導体メモリや磁気ディスク等から構成される記録部２０２、カメラ本体１００とのインタフェースを司るインタフェース部２０４、カメラ本体１００と接続を行うコネクタ２０６を備えている。
【００４２】
通信部１１０は、ＵＳＢ、ＩＥＥＥ１３９４、無線通信等の通信機能を有する。コネクタ１１２は、通信部１１０を介してカメラ本体１００を他の機器と接続する。
【００４３】
通信線３９９は、撮影レンズユニット３００とカメラ本体１００側のシステムコントローラ５０との間の通信を司る。通信線４９９は、外付けストロボ４００とカメラ本体１００側のシステムコントローラ５０との間の通信を司る。
【００４４】
撮影レンズユニット３００は、撮影レンズ３０１、フォーカス制御部３０２、被写体距離検出部３０３、絞り制御部３０５、レンズ制御マイクロコンピュータ３０６等を備えている。撮影レンズ３０１は、被写体の光学像を通過させ、撮像素子１４に結像させる。フォーカス制御部３０２は、撮影レンズ３０１を光軸方向に駆動してピントを合わせるためのモータ及びモータ駆動回路から構成されている。被写体距離検出部３０３は、撮影レンズ３０１の位置から被写体までの距離を検出するエンコーダから構成されている。
【００４５】
絞り３０４は、シャッタ９との組み合わせで撮影時の撮像素子１４への露光量を調整する。絞り制御部３０５は、絞り３０４を駆動するモータ及びモータ駆動回路から構成されている。レンズ制御マイコン３０６は、フォーカス制御部３０２、絞り制御部３０５等を制御すると共に、カメラ本体１００側のシステムコントローラ５０との通信を制御する。
【００４６】
撮影レンズユニット３００は、図１で説明したようにレンズマウント３１０を介して着脱可能にカメラ本体１００に装着される。また、撮影レンズユニット３００は、電気的にはシリアル通信線と電源部からなるマウント接点３１１を介してカメラ本体１００に接続される。
【００４７】
外付けストロボ（外付け閃光装置）４００は、カメラ本体１００に外付けされ、被写体に対して閃光を発するものであり、Ｘｅ管４０１、反射笠４０２、発光制御回路４０３、充電回路４０４、電源部４０５、ストロボ制御マイコン４０６を備えている。発光制御回路４０３は、Ｘｅ管４０１の発光を制御するＩＧＢＴ等から構成されている。充電回路４０４は、Ｘｅ管４０１に給電する３００Ｖ程度の電圧を発生する。電源部４０５は、充電回路４０４に給電する電池等から構成されている。ストロボ制御マイコン４０６は、外付けストロボ４００の発光・充電等を制御すると共に、カメラ本体１００側のシステムコントローラ５０との通信を制御する。
【００４８】
外付けストロボ４００は、アクセサリシュー４１０を介して着脱可能にカメラ本体１００に装着される。また、外付けストロボ４００は、電気的にはシリアル通信線とＸ端子（発光端子）からなるフラッシュ接点４１１を介してカメラ本体１００に接続される。
【００４９】
本実施の形態では、システムコントローラ５０は、撮影者によるカメラの電源オン操作に連動して、圧電素子駆動回路４２により圧電素子４３を加振し光学フィルタ４４表面の異物を除去する異物除去動作を実行させる。また、システムコントローラ５０は、撮影者によるカメラの電源オフ操作に伴い異物除去動作を実行させる（自動的な異物除去動作）。また、システムコントローラ５０は、撮影者による液晶モニタ２８のメニュー画面での設定に伴い異物除去動作を実行させる（手動操作に基づく異物除去動作）。
【００５０】
次に、上記構成を有する本実施の形態のデジタル一眼レフカメラの各種動作について詳細に説明する。
【００５１】
まず、カメラ本体１００の電源オン時の液晶モニタ２８表示の動作を図５のフローチャートに基づいて説明する。尚、本実施の形態では液晶モニタ２８をＴＦＴ液晶方式としているため、図５以下のフローチャートでは液晶モニタ２８をＴＦＴと図示している。
【００５２】
撮影者がカメラのメインスイッチ６１をオン操作し電源がオン状態となると、システムコントローラ５０は、ステップＳ５０から本処理を開始する。システムコントローラ５０は、ステップＳ５１にて液晶モニタ２８の表示設定を確認し、ステップＳ５２に進む。液晶モニタ２８の表示設定は、カメラ内に予め記憶されているメニューに基づき行うことが可能である。
【００５３】
ここで、図６は液晶モニタ２８の表示設定画面である。この画面は、カメラ本体１００のメインスイッチ６１により電源をオン状態にしたとき、液晶モニタ２８が常に点灯するように設定する様子を示す画面である。また、図７も図６と同じく液晶モニタ２８の表示設定画面である。この画面は、カメラ本体１００のメインスイッチ６１により電源をオン状態にしたとき、液晶モニタ２８の点灯の有無が、前回カメラ本体１００をオフ状態にしたときの液晶モニタ２８の表示設定となるように設定する様子を示す画面である。
【００５４】
システムコントローラ５０は、ステップＳ５２で液晶モニタ２８の表示設定が常に表示するように設定されている場合はステップＳ５３に進み、それ以外の場合はステップＳ５４に進む。システムコントローラ５０は、ステップＳ５３では液晶モニタ２８を点灯し、撮影条件情報を表示する。
【００５５】
具体的には図８に示すように、種々の情報を表示する。８０１はシャッタ速度であり、８０２は絞り値である。シャッタ制御部４０および絞り制御部３０５は、これらの設定値に基づいて制御を行う。８０３はＩＳＯ感度であり、撮像素子１４から出力される信号の増幅率に関する。８０４は発音体のＯＮ／ＯＦＦを表す表示であり、この表示が成されているときには、例えば第１のシャッタスイッチＳＷ１の操作により電子音が発せられる。８０５は赤目緩和表示であり、内蔵ストロボ１２０の発光に関し、この表示が成されているときには、赤目緩和のための制御が行われる。
【００５６】
８０６は、記録媒体２００の残量から算出される記録可能枚数（撮影可能枚数）を表す。この枚数は、８０８で表される設定画質に従って変化する。８０８は、具体的には、可逆圧縮ファイル形式であることを示す「ＲＡＷ」や、不可逆圧縮ファイル形式であって、画像サイズを示す「Ｌ」「Ｍ」「Ｓ」などによって表される。８０７は、電源部８６の充電状態を示す。８０９はホワイトバランスの設定を示し、８１０は選択されている撮影モードを示す。このような撮影条件情報を表示することにより、撮影者はカメラの状態や設定を確認することができる。
【００５７】
図５に戻って、システムコントローラ５０は、ステップＳ５４で前回の電源オフ時の状態を確認しステップＳ５５に進む。ステップＳ５５で前回電源オフ時の状態が液晶モニタ２８点灯であればステップＳ５３に進み、液晶モニタ２８を点灯する。一方、システムコントローラ５０は、ステップＳ５５で前回電源オフ時の状態が液晶モニタ２８消灯であればステップＳ５６に進み、図１０に示すように液晶モニタ２８は消灯したままの状態となる。
【００５８】
システムコントローラ５０は、ステップＳ５３の処理後、直ちにステップＳ５７に移行する。ステップＳ５７では、カメラ起動時における異物除去表示動作処理を行う。この動作は、異物除去の表示を行うと共に、異物除去動作処理を実行するものである。具体的には、図３６等を用いて後述する。一方、システムコントローラ５０は、ステップＳ５６の処理後、ステップＳ５８にてカメラ起動時（カメラ電源オン時）の異物除去動作処理を行う。異物除去動作処理は、システムコントローラ５０が圧電素子駆動回路４２により圧電素子４３を加振することで光学フィルタ４４表面に付着した異物を除去する処理である。ステップＳ５７もしくはステップＳ５８を終了すると、ステップＳ５９にて電源オン時における一連の本処理を終了する。
【００５９】
本処理によれば、カメラの起動時に液晶モニタ２８が表示される条件では、カメラの起動後すぐに撮影条件情報表示画面（図８）が液晶モニタ２８に表示される。これにより、撮影者に対しカメラが起動したことと、撮影前のカメラの状態や設定をいち早く報知することができる。
【００６０】
次に、カメラ本体１００の撮影準備状態においてＤＩＳＰボタン６６の状態変化に対する動作を図９のフローチャートに基づいて説明する。
【００６１】
カメラ本体１００の撮影準備状態において撮影者がＤＩＳＰボタン６６を押下すると、システムコントローラ５０は、図９のフローチャートを実行するプログラムを第２のメモリ５２から呼び出し、ステップＳ１００から本処理を開始する。システムコントローラ５０は、ステップＳ１０１にてＤＩＳＰボタン６６の状態を確認し、ＤＩＳＰボタン６６がオン状態であればステップＳ１０２に進み、液晶モニタ２８の点灯状態を確認する。一方、システムコントローラ５０は、ステップＳ１０１でＤＩＳＰボタン６６がオフ状態であればステップＳ１０５に進む。
【００６２】
システムコントローラ５０は、ステップＳ１０２で図８に示すように液晶モニタ２８が撮影条件情報を表示している状態の場合はステップＳ１０３に進み、図１０に示すように液晶モニタ２８を消灯する。一方、システムコントローラ５０は、ステップＳ１０２で図１０に示すように液晶モニタ２８が消灯状態の場合はステップＳ１０４に進み、液晶モニタ２８を点灯し図８に示すように撮影条件情報を表示する。ステップＳ１０５にて本処理を終了する。
【００６３】
次に、カメラ本体１００において液晶モニタ２８に画像を再生表示中に撮影者がＤＩＳＰボタン６６を押下した場合の動作（ＤＩＳＰボタン６６の状態変化に対する動作）を図１１のフローチャートに基づいて説明する。
【００６４】
カメラ本体１００に接続された記録媒体２００に記録されている画像は、撮影者がカメラ本体１００の再生ボタン６９を押下することで、液晶モニタ２８に表示させ確認することができる。撮影者が再生ボタン６９を押下すると、システムコントローラ５０は、ステップＳ２００から本処理を開始する。システムコントローラ５０は、ステップＳ２０１にてＤＩＳＰボタン６６の状態を確認し、ＤＩＳＰボタン６６がオン状態であればステップＳ２０２に進む。システムコントローラ５０は、ステップＳ２０２にてカメラ本体１００における再生表示設定の確認を行いステップＳ２０３に進む。
【００６５】
一方、システムコントローラ５０は、ステップＳ２０１でＤＩＳＰボタン６６がオフ状態であればステップＳ２１１に進む。システムコントローラ５０は、ステップＳ２０３にて画像再生の表示設定が簡易撮影情報表示の表示設定であればステップＳ２０４に進み、画像再生の表示設定を簡易撮影情報の表示設定に切り替える。更に、システムコントローラ５０は、ステップＳ２０５にて図１２に示すように液晶モニタ２８内の所定の位置に簡易撮影情報を表示する。それ以外の場合はステップＳ２０６に進む。
【００６６】
システムコントローラ５０は、ステップＳ２０６で画像再生の表示設定が撮影情報の表示設定であればステップＳ２０７に進み、画像再生の表示設定を撮影情報の表示設定に切り替える。更に、システムコントローラ５０は、ステップＳ２０８にて図１３に示すように液晶モニタ２８内の所定の位置に詳細な撮影情報を表示する。
【００６７】
システムコントローラ５０は、ステップＳ２０６で画像再生の表示設定が撮影情報の表示設定以外の表示設定である場合はステップＳ２０９に進み、画像再生の表示設定を画像のみの表示設定に切り替える。更に、システムコントローラ５０は、ステップＳ２１０にて図１４に示すように撮影情報を含まない画像のみの表示を行う。一連の画像表示を行って、ステップＳ２１１にて本処理を終了する。
【００６８】
次に、カメラ本体１００の液晶モニタ２８でメニュー表示あるいはＩＮＦＯ表示をしている状態でのＤＩＳＰボタン６６の状態変化に対する動作を図１５のフローチャートに基づいて説明する。
【００６９】
カメラ本体１００の撮影準備状態において撮影者がＭＥＮＵボタン６７を押下すると、システムコントローラ５０は、液晶モニタ２８の表示内容を図１６に示すメニュー画面表示に切り替える。これにより、画像に関する設定、例えば記録画質や調光補正に関する設定、電子音の有無の設定など、種々の設定が可能になる。また、液晶モニタ２８の表示内容がメニュー画面表示の状態で撮影者がＤＩＳＰボタン６６を押下すると、システムコントローラ５０は、液晶モニタ２８の表示内容を図１７に示す画面表示に切り替える。これにより、日付や時刻、ホワイトバランス（ＷＢ）等の設定状態が液晶モニタ２８に表示される（ＩＮＦＯ表示）。
【００７０】
システムコントローラ５０は、液晶モニタ２８の表示内容がメニュー表示あるいはＩＮＦＯ表示をしている状態であるステップＳ３００から本処理を開始する。システムコントローラ５０は、ステップＳ３０１にてＤＩＳＰボタン６６の状態を確認し、ＤＩＳＰボタン６６がオン状態であればステップＳ３０２に進み、ＤＩＳＰボタン６６がオフであればステップＳ３０６に進む。
【００７１】
システムコントローラ５０は、ステップＳ３０２にて液晶モニタ２８の表示内容を確認しステップＳ３０３に進む。システムコントローラ５０は、ステップＳ３０３で液晶モニタ２８の表示内容がメニュー表示の場合はステップＳ３０４に進み、液晶モニタ２８の表示内容をＩＮＦＯ表示（図１７）にする。一方、システムコントローラ５０は、ステップＳ３０３で液晶モニタ２８の表示内容がメニュー表示以外（ＩＮＦＯ表示）の場合はステップＳ３０５に進み、液晶モニタ２８の表示内容をメニュー表示（図１６）にする。そして、ステップＳ３０６にて本処理を終了する。
【００７２】
次に、カメラ本体１００においてＢＵＬＢ撮影時のＤＩＳＰボタン６６の状態変化に対する動作を図１８のフローチャートに基づいて説明する。
【００７３】
撮影者がモードダイアル６０及びメイン電子ダイアル６５を所定の状態へと操作することでシャッタ速度がＢＵＬＢ（バルブ）状態となり、長時間露光が可能になり、シャッタボタン６２を押している間、シャッタ９が開いたままの状態での撮影が可能になる。システムコントローラ５０は、シャッタ速度をＢＵＬＢ状態にし、撮影者がシャッタボタン６２を押下して第２のシャッタスイッチＳＷ２・６４がオンした時であるステップＳ４００から本処理を開始する。
【００７４】
システムコントローラ５０は、ステップＳ４０１にてＢＵＬＢ撮影の露光を開始しステップＳ４０２に進む。システムコントローラ５０は、ステップＳ４０２で液晶モニタ２８が点灯状態であればステップＳ４０３に進み、液晶モニタ２８が消灯状態であればステップＳ４０６に進む。システムコントローラ５０は、ステップＳ４０３では図１９に示すように液晶モニタ２８に露光経過時間を表示する。このとき、露光経過時間の表示は液晶モニタ２８内において黒色の背景に対して白色の文字で表示する。
【００７５】
システムコントローラ５０は、次にステップＳ４０４にてＤＩＳＰボタン６６の状態を確認し、ＤＩＳＰボタン６６がオン状態であればステップＳ４０５に進み、図１０に示すように液晶モニタ２８を消灯する。一方、システムコントローラ５０は、ステップＳ４０４でＤＩＳＰボタン６６がオフ状態であればステップＳ４０８に進む。
【００７６】
システムコントローラ５０は、ステップＳ４０６でＤＩＳＰボタン６６がオン状態であればステップＳ４０７に進み、図１９に示すように液晶モニタ２８内に露光経過時間を表示する。このときもステップＳ４０４と同様に、露光経過時間の表示は液晶モニタ２８内において黒色の背景に対して白色の文字で表示する。一方、システムコントローラ５０は、ステップＳ４０６でＤＩＳＰボタン６６がオフ状態であればステップＳ４０８に進む。
【００７７】
システムコントローラ５０は、ステップＳ４０８で第１のシャッタスイッチＳＷ１・６３がオフ状態であればステップＳ４０９に進み、露光を終了する。一方、システムコントローラ５０は、ステップＳ４０８で第１のシャッタスイッチＳＷ１・６３がオン状態のままであればステップＳ４０２に戻る。そして、ステップＳ４１０にて本処理を終了する。
【００７８】
本実施の形態では、撮影条件情報表示画面を液晶モニタ２８に表示する場合は、日中の屋外など周囲が明るい場合においても文字が見えやすいように白色の背景に対して黒色の文字を表示する。一方、一般に周囲の環境が暗い状況で用いられることの多いバルブ撮影時に露光経過時間を液晶モニタ２８に表示する場合は、黒色の背景に対して白色の文字を表示する。これにより、例えば天体撮影を行うような周囲が暗い状況下においても、液晶モニタ２８の表示による眩しさを抑え、撮影者にとって視認性が良く使いやすいものとなる。
【００７９】
尚、本実施の形態では、撮影条件情報表示画面を液晶モニタ２８に表示する時は白色の背景に黒色文字を表示し、バルブ撮影時に露光経過時間を液晶モニタ２８に表示する時は黒色の背景に白色の文字を表示する設定としているが、特定の表示色に限定されない。撮影条件情報表示画面を液晶モニタ２８に表示する場合は薄色の背景に濃色文字で表示を行い、バルブ撮影時に液晶モニタ２８に露光経過時間を表示する場合は濃色の背景に薄色の文字で表示を行う設定としてもよい。
【００８０】
次に、カメラ本体１００の測距モードの選択シーケンスを図２０のフローチャートに基づいて説明する。
【００８１】
カメラ本体１００の撮影準備状態において撮影者が右方向選択ボタンを兼用している測距モード選択ボタン７９を操作することで、測距モード選択状態に入る。このとき、システムコントローラ５０は、所定のタイミングでステップＳ７００からの測距モード選択シーケンスを開始する。撮影準備状態では、液晶モニタ２８に表示される図２１に示す撮影条件情報表示画面において測距モード情報６０１は撮影条件表示領域に表示されている。
【００８２】
一方、測距モード選択状態になると、液晶モニタ２８の画面は図２２に示す測距モード選択画面（撮影条件選択画面）に移行する。測距モード選択画面では、撮影条件選択領域に、一連の選択可能な測距モードが測距モード選択領域（撮影条件選択領域）６０５に表示される構成となっている。ここで、測距モード選択画面における測距モード選択領域（撮影条件選択領域）６０５と、撮影条件情報表示画面における撮影条件表示領域とが、画面の高さ方向にほぼ同じ幅を有する帯状の領域となるように設定されている。したがって、撮影者は撮影条件情報表示画面から測距モード選択画面に遷移しても、測距モードが表示される位置を容易に認識することが可能である。
【００８３】
また、現在選択されている測距モードは反転表示される。更に、測距モード選択画面の最上部には測距モード選択中であることを示すガイダンス６０６が表示され、測距モード選択領域６０５の直上部には現在選択されている測距モードの名称を示すガイダンス６０７が表示される。ガイダンス６０６、６０７の表示により、撮影者は現在選択している項目を明確に理解することが可能である。
【００８４】
システムコントローラ５０は、ステップＳ７０１にて左方向選択ボタン７８の状態を確認し、左方向選択ボタン７８がオンであればステップＳ７０２に進み、左方向選択ボタン７８がオフであればステップＳ７０６に進む。システムコントローラ５０は、ステップＳ７０２にて測距モードの状態遷移（推移）を行う。このとき、液晶モニタ２８における測距モード選択画面（撮影条件選択画面）の測距モード選択領域６０５の表示は、「ＯＮＥ  ＳＨＯＴ」（図２２）→「ＡＩ  ＳＥＲＶＯ」（図２４）→「ＡＩ  ＦＯＣＵＳ」（図２３）の順番に状態遷移する。
【００８５】
システムコントローラ５０は、次にステップＳ７０３に進み、選択されている測距モードを表示するよう液晶モニタ２８の表示を更新し、ステップＳ７０４に進む。システムコントローラ５０は、ステップＳ７０４では測距モード選択状態の終了が選択されているかを確認し、測距モード選択状態の終了が選択されていればステップＳ７０５に進み、液晶モニタ２８の表示を撮影条件情報表示画面に更新する。そして、ステップＳ７０９にて本処理を終了する。
【００８６】
システムコントローラ５０は、ステップＳ７０４で測距モード選択状態の終了が選択されていなければ、ステップＳ７０１へ戻る。ここで、「測距モード選択状態の終了が選択」とは、シャッタボタン６２の操作（第１のシャッタスイッチＳＷ１・６３がオン）もしくはＳＥＴボタン８０の操作によって終了が選択されることである。
【００８７】
システムコントローラ５０は、ステップＳ７０６にて右方向選択ボタン７９の状態を確認し、右方向選択ボタン７９がオンであればステップＳ７０７に進み、右方向選択ボタン７９がオフであればステップＳ７０４に進む。システムコントローラ５０は、ステップＳ７０７にて測距モードの状態遷移（推移）を行う。このとき、液晶モニタ２８における測距モード選択画面（撮影条件選択画面）の測距モード選択領域６０５の表示は、「ＯＮＥ  ＳＨＯＴ」（図２２）→「ＡＩ  ＦＯＣＵＳ」（図２３）→「ＡＩ  ＳＥＲＶＯ」（図２４）の順番に状態遷移する。
【００８８】
システムコントローラ５０は、次にステップＳ７０８に進み、選択されている測距モードを表示するよう液晶モニタ２８における測距モード選択画面（撮影条件選択画面）の測距モード選択領域６０５の表示を更新し、ステップＳ７０４に進む。
【００８９】
同様にホワイトバランス選択ボタン７７を操作することで、ホワイトバランス設定状態に入る。ホワイトバランス設定状態に入ると、図２５に示すホワイトバランス設定画面（撮影条件選択画面）が表示される。図２５にて、ホワイトバランス設定画面のホワイトバランス選択領域（撮影条件選択領域）６０８には、設定可能なホワイトバランスアイコンが一列に並んで表示され、現在設定されているホワイトバランスアイコンが反転表示される。反転表示されるアイコンを説明するガイダンス６０９がホワイトバランス選択領域６０８よりも上の領域に表示される。ホワイトバランス選択領域（撮影条件選択領域）６０８は、撮影条件情報表示画面における撮影条件表示領域と画面の高さ方向にほぼ同じ幅を有する帯状の領域となるように設定されている。
【００９０】
測光モード選択ボタン７８を操作することで、測光モード設定状態に入る。測光モード設定状態に入ると、図２６に示す測光モード設定画面（撮影条件選択画面）が表示される。図２６にて、測光モード設定選択領域（撮影条件選択領域）６１０には、設定可能な測光モードアイコンが一列に並んで表示され、現在設定されている測光モードアイコンが反転表示される。反転表示されるアイコンを説明するガイダンス６１１が測光モード選択領域６１０よりも上の領域に表示される。測光モード設定選択領域（撮影条件選択領域）６１０は、撮影条件情報表示画面における撮影条件表示領域と画面の高さ方向にほぼ同じ幅を有する帯状の領域となるように設定されている。
【００９１】
ドライブモード設定ボタン７５を操作することで、ドライブモード設定状態に入る。ドライブモード設定状態に入ると、図２７に示すドライブモード設定画面（撮影条件選択画面）が表示される。図２７にて、ドライブモード設定選択領域（撮影条件選択領域）６１２には、設定可能なドライブモードアイコンが一列に並んで表示され、現在設定されているドライブモードアイコンが反転表示される。反転表示されるアイコンを説明するガイダンス６１３がドライブモード選択領域６１２よりも上の領域に表示される。ドライブモード設定選択領域（撮影条件選択領域）６１２は、撮影条件情報表示画面における撮影条件表示領域と画面の高さ方向にほぼ同じ幅を有する帯状の領域となるように設定されている。
【００９２】
なお、それぞれのモード選択動作、処理については、測距モードの選択方法と同様である。
【００９３】
次に、カメラ本体１００におけるＡＦ測距点の選択動作シーケンスを図２８のフローチャートに基づいて説明する。
【００９４】
カメラ本体１００の撮影準備状態において撮影者が測距点選択ボタン７２を操作することで、測距点選択状態に入る。このとき、システムコントローラ５０は、所定のタイミングでステップＳ６００からの測距点選択シーケンスを開始する。撮影準備状態では、液晶モニタ２８に表示される図２９に示す撮影条件情報表示画面において測距点情報６０２は中央帯状部分の下方領域に表示されている。
【００９５】
一方、測距点選択状態にある時には、液晶モニタ２８の表示は測距点情報６０２を抽出して拡大表示する図３０に示す画面表示になる。更に、画面最上部には、測距点の選択中であることを示す情報が表示され、測距点情報表示の直上部には、現在自動選択と任意選択のいずれの状態にあるかの情報が表示される。これにより、測距点選択状態にあることが明白になり、また選択した測距点も分かりやすい。
【００９６】
システムコントローラ５０は、ステップＳ６０１にてＳＥＴボタン８０が押されたか否かを確認し、ＳＥＴボタン８０が押されたらステップＳ６０２に進み、ＳＥＴボタン８０が押されていなければステップＳ６０７に進む。システムコントローラ５０は、ステップＳ６０２にてＳＥＴボタン８０が押される前の測距点選択状態を確認し、測距点選択状態が自動選択であればステップＳ６０３に進み、測距点選択状態が任意選択であればステップＳ６０６に進む。
【００９７】
システムコントローラ５０は、ステップＳ６０３では測距点を中央に移動すると共に測距点選択画面の測距点を図３１に示す中央測距点選択の画面に更新し、任意選択状態としてステップＳ６０４に進む。システムコントローラ５０は、ステップＳ６０６では測距点を自動選択とすると共に測距点選択画面の測距点を図３０に示す測距点自動選択の画面に更新し、自動選択状態としてステップＳ６０４に進む。つまり、ＳＥＴボタン８０が押されることにより、自動選択から任意選択へ、任意選択から自動選択へ切り替わることになる。
【００９８】
システムコントローラ５０は、ステップＳ６０４では測距点選択状態の終了が選択されているかを確認し、測距点選択状態の終了が選択されていればステップＳ６０５に進んで液晶モニタ２８の表示を撮影条件情報表示画面に更新する。そして、ステップＳ６１９にて本処理を終了する。
【００９９】
システムコントローラ５０は、ステップＳ６０４で測距点選択状態の終了が選択されていなければ、ステップＳ６０１へ戻る。ここで、「測距点選択状態の終了が選択」とは、シャッタボタン６２の操作（第１のシャッタスイッチＳＷ１・６３がオン）もしくは測距点選択ボタン７２の押下げ、または所定の測距点選択状態タイマの経過によって終了が選択されることである。
【０１００】
システムコントローラ５０は、ステップＳ６０７にて上方向選択ボタン７６が押されたか否かを確認し、上方向選択ボタン７６が押されたならステップＳ６０８に進み、上方向選択ボタン７６が押されていなければステップＳ６１０に進む。システムコントローラ５０は、ステップＳ６０８にて上方向選択ボタン７６が押される前の測距点選択状態を確認し、測距点選択状態が自動選択であったならばステップＳ６０３に進み、上方向選択ボタン７６が押される前の測距点選択状態が任意選択であったならばステップＳ６０９に進む。システムコントローラ５０は、ステップＳ６０９では測距点を上方に移動すると共に測距点選択画面の測距点を図３２に示す上方測距点選択の画面に更新し、ステップＳ６０４に進む。
【０１０１】
システムコントローラ５０は、ステップＳ６１０にて下方向選択ボタン７７が押されたか否かを確認し、下方向選択ボタン７７が押されたならステップＳ６１１に進み、下方向選択ボタン７７が押されていなければステップＳ６１３に進む。システムコントローラ５０は、ステップＳ６１１にて下方向選択ボタン７７が押される前の測距点選択状態を確認し、測距点選択状態が自動選択であったならばステップＳ６０３に進み、下方向選択ボタン７７が押される前の測距点選択状態が任意選択であったならばステップＳ６１２に進む。システムコントローラ５０は、ステップＳ６１２では測距点を下方に移動すると共に測距点選択画面の測距点を図３３に示す下方測距点選択の画面に更新し、ステップＳ６０４に進む。
【０１０２】
システムコントローラ５０は、ステップＳ６１３にて左方向選択ボタン７８が押されたか否かを確認し、左方向選択ボタン７８が押されたならステップＳ６１４に進み、左方向選択ボタン７８が押されていなければステップＳ６１６に進む。システムコントローラ５０は、ステップＳ６１４にて左方向選択ボタン７８が押される前の測距点選択状態を確認し、測距点選択状態が自動選択であったならばステップＳ６０３に進み、左方向選択ボタン７８が押される前の測距点選択状態が任意選択であったならばステップＳ６１５に進む。システムコントローラ５０は、ステップＳ６１５では測距点を左方に移動すると共に測距点選択画面の測距点を図３５に示す左方測距点選択の画面に更新し、ステップＳ６０４に進む。
【０１０３】
システムコントローラ５０は、ステップＳ６１６にて右方向選択ボタン７９が押されたか否かを確認し、右方向選択ボタン７９が押されたならステップＳ６１７に進み、右方向選択ボタン７９が押されていなければステップＳ６０４に進む。システムコントローラ５０は、ステップＳ６１７にて右方向選択ボタン７９が押される前の測距点選択状態を確認し、測距点選択状態が自動選択であったならばステップＳ６０３に進み、右方向選択ボタン７９が押される前の測距点選択状態が任意選択であったならばステップＳ６１８に進む。システムコントローラ５０は、ステップＳ６１８では測距点を右方に移動すると共に測距点選択画面の測距点を図３４に示す右方測距点選択の画面に更新し、ステップＳ６０４に進む。
【０１０４】
次に、カメラ本体１００における液晶モニタ２８が表示オン状態での起動時（電源オン操作時）の異物除去動作及び表示処理を図３６のフローチャートに基づいて説明する。
【０１０５】
システムコントローラ５０は、図５のステップＳ５７で図３６の異物除去動作及び表示処理を呼び出し、ステップＳ８００から本処理を開始する。システムコントローラ５０は、まずステップＳ８０２で第１のシャッタスイッチＳＷ１・６３がオンされたかどうかを確認する。第１のシャッタスイッチＳＷ１・６３がオンされていない場合はステップＳ８０３に進み、第１のシャッタスイッチＳＷ１・６３がオンされている場合はステップＳ８１０に進む。
【０１０６】
システムコントローラ５０は、ステップＳ８０３では異物除去自動実行（後述）が設定されているかどうかを判別する。異物除去自動実行が設定されている場合はステップＳ８０４に進む。異物除去自動実行が設定されていない場合はステップＳ８１６に進み、本処理を終了する。
【０１０７】
システムコントローラ５０は、ステップＳ８０４では圧電素子駆動回路４２により圧電素子４３を加振することで光学フィルタ４４表面の異物を除去する異物除去動作を開始し、ステップＳ８０５に進む。システムコントローラ５０は、ステップＳ８０５では液晶モニタ２８の撮影条件情報表示画面の一部領域に異物除去動作中であることを示す表示を行い、ステップＳ８０６に進む。ステップＳ８０５での表示の詳細については後述する。尚、撮影条件情報表示画面の一部領域は、撮影前情報に含まれる露出情報を表示する領域とは無関係な領域である。
【０１０８】
システムコントローラ５０は、ステップＳ８０６では異物除去動作開始から所定の異物除去駆動時間が経過したかどうかを判定する。所定の異物除去駆動時間が経過していればステップＳ８１２に進み、所定の異物除去駆動時間が経過していないときにはステップＳ８０７に進む。システムコントローラ５０は、ステップＳ８１２では異物除去動作を終了し、ステップＳ８１３に進む。
【０１０９】
システムコントローラ５０は、ステップＳ８１３では第１のシャッタスイッチＳＷ１・６３がオンされたかどうかを確認する。第１のシャッタスイッチＳＷ１・６３がオンされていない場合はステップＳ８１４に進み、第１のシャッタスイッチＳＷ１・６３がオンされている場合はステップＳ８１０に進む。
【０１１０】
システムコントローラ５０は、ステップＳ８１４では異物除去動作表示開始から予め設定されている所定の表示時間が経過したかどうかを判定する。所定の表示時間が経過している場合はステップＳ８１５に進み、所定の異物除去駆動時間が経過していない場合はステップＳ８１３へ戻る。ここで、所定の表示時間としては、上述した所定の異物除去駆動時間（圧電素子駆動回路４２による圧電素子４３の駆動時間）よりも長い時間であり、撮影者が液晶モニタ２８の表示を視認するのに充分な時間が設定されている。
【０１１１】
システムコントローラ５０は、ステップＳ８１５では異物除去動作表示を終了し、ステップＳ８１６にて本処理を終了する。ステップＳ８１５で異物除去動作表示を終了した状態の液晶モニタ２８の表示は本処理が開始した状態での表示（図８）と同一となる。
【０１１２】
システムコントローラ５０は、ステップＳ８０７では第１のシャッタスイッチＳＷ１・６３がオンされたかどうかを確認する。第１のシャッタスイッチＳＷ１・６３がオンされていない場合はステップＳ８０５に戻る。第１のシャッタスイッチＳＷ１・６３がオンされている場合はステップＳ８０８に進み、異物除去動作を終了し、更にステップＳ８０９で液晶モニタ２８の異物除去動作表示を終了する。
【０１１３】
システムコントローラ５０は、ステップＳ８１０では測光・測距処理を行い、ステップＳ８１１では図３８に示すように撮影情報（測光値より演算した絞り値、シャッタ速度、露出レベル等）を表示する。図３８の例では、撮影モードとしてマニュアルモードが選択されている状態であって露出がマニュアル設定されているため、本処理が開始された状態での表示（図８）に対して露出レベル６０４が表示されている。システムコントローラ５０は、ステップＳ８１１の処理終了後、ステップＳ８１４に進み一連の処理を終了する。
【０１１４】
図３７は、ステップＳ８０５での液晶モニタ２８の撮影条件情報表示画面の一例である。図３７の撮影条件情報表示画面の右下部の撮影可能枚数等を表示する領域６０３に、異物除去動作中であることを示すアイコンが表示されている。シャッタ速度８０１、絞り値８０２、ＩＳＯ感度８０３等の主要な撮影情報は、通常の撮影前情報（図８）と同様に表示されている。これにより、撮影者は撮影に必要な情報と異物除去動作中であることを同時に確認することができる。
【０１１５】
また、本処理によれば、上述したようにステップＳ８０５の状態から第１のシャッタスイッチＳＷ１・６３をオンすることにより、すぐに撮影に入ることが可能である。ステップＳ８０５での表示形態（図３７）は通常の撮影前情報表示（図８）と類似の表示形態となっているため、撮影者にとっても直感的に撮影可能な状態であることがわかりやすい表示となっている。また、異物除去動作中であることを示すアイコンの表示は、小さなアイコンでも撮影者が認識しやすいように実際の異物除去動作時間よりも長い時間表示されるように設定されている。
【０１１６】
次に、カメラ本体１００における液晶モニタ２８の表示オフ状態での起動時（電源オン操作時）の異物除去動作及び表示処理を図３９のフローチャートに基づいて説明する。
【０１１７】
システムコントローラ５０は、図５のステップＳ５８で図３９の異物除去動作処理を呼び出し、ステップＳ９００から本処理を開始する。システムコントローラ５０は、ステップＳ９０２で第１のシャッタスイッチＳＷ１・６３がオンされたかどうかを確認し、ステップＳ８０３で異物除去自動実行が設定されているかどうかを判別し、それぞれ処理を振り分ける。図３９のシーケンスについては、表示に関する処理がないことを除けば図３６のシーケンスと同様であるので詳細な説明は省略する。
【０１１８】
次に、カメラ本体１００が電源オフ操作された場合の異物除去動作処理を図４０のフローチャートに基づいて説明する。
【０１１９】
撮影者がカメラ本体１００のメインスイッチ６１をオフ操作すると、システムコントローラ５０は、ステップＳ１０００から本処理を開始する。システムコントローラ５０は、まずステップＳ１００１で異物除去自動実行が設定されているかどうかを判別し、異物除去自動実行が設定されている場合はステップＳ１００２に進み、異物除去自動実行が設定されていない場合はステップＳ１００７に進む。
【０１２０】
システムコントローラ５０は、ステップＳ１００２では圧電素子駆動回路４２により圧電素子４３を加振することで光学フィルタ４４表面の異物を除去する異物除去動作を開始し、ステップＳ１００３に進む。システムコントローラ５０は、ステップＳ１００３では液晶モニタ２８の表示がオンであるかどうかを確認し、液晶モニタ２８の表示がオンであればステップＳ１００４に進み、液晶モニタ２８の表示がオフであればステップＳ１００５に進む。
【０１２１】
システムコントローラ５０は、ステップＳ１００４で液晶モニタ２８に異物除去動作中であることを示す画面を表示し、ステップＳ１００５に進む。図４１は、液晶モニタ２８に表示される画面であり、黒地の画面に異物除去動作中であることを示すアイコンのみが表示されている。即ち、液晶モニタ２８の画面全体を使用して異物除去動作中を表示する。このアイコンは画面略中央に大きく表示されるため、撮影者は異物除去動作中であることを容易に認識できる。また、異物除去動作中の表示は、例えば図８に示すような撮影前情報の表示形態とは全く異なる形態の表示であるため、撮影者は撮影動作が行えない状態であることを容易に認識できる。
【０１２２】
システムコントローラ５０は、ステップＳ１００５で異物除去動作開始から所定時間経過するまで異物除去動作を継続し、所定時間が経過するとステップＳ１００６に進む。システムコントローラ５０は、ステップＳ１００６では異物除去動作表示を終了し、ステップＳ１００７に進む。システムコントローラ５０は、ステップＳ１００７では液晶モニタ２８の表示を消灯し、続いてステップＳ１００８でカメラ本体１００のシャットダウン処理を行い、ステップＳ１００９にて本処理を終了する。即ち、上記異物除去動作の終了後に自動的にカメラの電源が切断される。
【０１２３】
本実施の形態では、カメラ本体１００においては撮影者がメニュー操作で異物除去動作を任意に実行できるよう構成されている。
【０１２４】
次に、カメラ本体１００における撮影者のメニュー操作での異物除去動作実行の処理を図４２のフローチャートに基づいて説明する。
【０１２５】
撮影者が液晶モニタ２８に表示される図４３に示すメニュー画面から「センサクリーニング：自動」の項目を選択すると、システムコントローラ５０は、ステップＳ１１００から本処理を開始する。システムコントローラ５０は、ステップＳ１１０１では液晶モニタ２８にサブメニューとして図４４に示す異物除去動作の設定メニュー画面を表示し、ステップＳ１１０２に進む。
【０１２６】
システムコントローラ５０は、ステップＳ１１０２で第１のシャッタスイッチＳＷ１・６３がオンされているかどうかを確認する。第１のシャッタスイッチＳＷ１・６３がオンされていない場合はステップＳ１１０３に進み、第１のシャッタスイッチＳＷ１・６３がオンされている場合はステップＳ１１１２に進む。
【０１２７】
システムコントローラ５０は、ステップＳ１１０３で図４４の設定メニュー画面で「今すぐ実行」が選択されたかどうかを判別する。「今すぐ実行」が選択されていればステップＳ１１０４に進み、「今すぐ実行」が選択されていなければステップＳ１１１４に進む。システムコントローラ５０は、ステップＳ１１０４では圧電素子駆動回路４２により圧電素子４３を加振することで光学フィルタ４４表面の異物を除去する異物除去動作を開始し、ステップＳ１１０５に進む。
【０１２８】
システムコントローラ５０は、ステップＳ１１０５では液晶モニタ２８に異物除去動作中であることを示す表示を行い、ステップＳ１１０６に進む。ステップＳ１１０５における液晶モニタ２８の表示画面は、図４０のステップＳ１００４における液晶モニタ２８の表示画面（図４１）と同一である。
【０１２９】
システムコントローラ５０は、ステップＳ１１０６では異物除去動作開始から所定時間経過したかどうかを判定する。所定時間が経過している場合はステップＳ１１０７に進み、所定時間が経過していない場合はステップＳ１１０８に進む。システムコントローラ５０は、ステップＳ１１０７では液晶モニタ２８に異物除去動作の設定メニュー画面（図４４）を表示し、ステップＳ１１１７にて本処理を終了する。
【０１３０】
システムコントローラ５０は、ステップＳ１１０８では第１のシャッタスイッチＳＷ１・６３がオンされているかどうかを確認する。第１のシャッタスイッチＳＷ１・６３がオンされていない場合はステップＳ１１０５へ戻り、第１のシャッタスイッチＳＷ１・６３がオンされている場合はステップＳ１１１０に進む。
【０１３１】
システムコントローラ５０は、ステップＳ１１１０で異物除去動作開始から所定時間経過するまで異物除去動作を継続し、所定時間が経過するとステップＳ１１１１に進む。システムコントローラ５０は、ステップＳ１１１１では異物除去動作表示を終了し、ステップＳ１１１２に進む。システムコントローラ５０は、ステップＳ１１１２では測光・測距処理を行い、ステップＳ１１１３に進む。ステップＳ１１１３では液晶モニタ２８に例えば図３８に示すように撮影情報（測光結果より演算した絞り値、シャッタ速度、露出レベル等）を表示し、本処理を終了する。
【０１３２】
システムコントローラ５０は、ステップＳ１１１４では図４４の設定メニュー画面で「設定」が選択されたかどうかを確認する。「設定」が選択されていればステップＳ１１１７に進み、「設定」が選択されていなければステップＳ１１１５に進む。システムコントローラ５０は、ステップＳ１１１７では異物除去の自動実行のオン／オフの設定を受け付け、ステップＳ１１０１に戻る。
【０１３３】
ここで、図４５、図４６は、ステップＳ１１１７で液晶モニタ２８に表示される画面である。画面下部の文字アイコンがハイライト表示され、左方向選択ボタン７８、右方向選択ボタン７９によりアイコンを「する」→「しない」→「する」とトグルで切り替えることができる。ＳＥＴボタン８０により変更を受け付け確定する。「する」を選択すると異物除去の自動実行がオンに設定され、「しない」を選択すると異物除去の自動実行がオフに設定される。
【０１３４】
システムコントローラ５０は、ステップＳ１１１５ではＭＥＮＵボタン６７が押下されたかどうかを確認する。ＭＥＮＵボタン６７が押下されていればステップＳ１１１６に進み、ＭＥＮＵボタン６７が押下されていなければステップＳ１１０１に戻る。システムコントローラ５０は、ステップＳ１１１６では異物除去動作の設定メニュー画面を抜けて１階層上のメニュー画面（図４３）を液晶モニタ２８に表示し、本処理を終了する。
【０１３５】
以上説明したように、本実施の形態によれば、撮影条件情報表示画面を液晶モニタ２８に表示する時は白色の背景に黒色の文字を表示し、バルブ撮影時に露光経過時間を液晶モニタ２８に表示する時は黒色の背景に白色の文字を表示する。これにより、撮影者に対して、撮影前情報は日中の屋外など周囲が明るい外光下でも見易くすることが可能となると共に、比較的暗いところで使用するバルブ撮影時の情報は眩しくないようにすることが可能となる。
【０１３６】
［他の実施の形態］
上記実施の形態では、撮像装置としてデジタル一眼レフカメラを例に挙げたが、本発明は、これに限定されるものではない。デジタル一眼レフカメラ以外のカメラにも適用可能である。
【０１３７】
また、本発明の目的は、前述した各実施の形態の機能を実現するソフトウェアのプログラムコードを記憶した記憶媒体を、システム或いは装置に供給し、以下の処理を行うことによっても達成される。即ち、そのシステム或いは装置のコンピュータ（またはＣＰＵやＭＰＵ等）が記憶媒体に格納されたプログラムコードを読み出し実行することによっても達成される。
【０１３８】
この場合、記憶媒体から読み出されたプログラムコード自体が前述した各実施の形態の機能を実現することになり、そのプログラムコード及び該プログラムコードを記憶した記憶媒体は本発明を構成することになる。
【０１３９】
また、プログラムコードを供給するための記憶媒体としては、例えば、フロッピー（登録商標）ディスク、ハードディスク、光磁気ディスクを用いることができる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１４０】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１４１】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、以下の処理を行う場合も含まれる。即ち、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【０１４２】
【図１】本発明の実施の形態に係る撮像装置としてのカメラを前面側から見た撮影レンズユニットを外した状態を示す斜視図である。
【図２】カメラの上面図である。
【図３】カメラの背面図である。
【図４】カメラの電気的な構成を示すブロック図である。
【図５】カメラの電源オン時の液晶モニタの表示動作を示すフローチャートである。
【図６】液晶モニタの表示設定画面（点灯設定）を示す図である。
【図７】液晶モニタの表示設定画面（消灯設定）を示す図である。
【図８】液晶モニタの撮影前情報表示画面（起動時）を示す図である。
【図９】カメラで撮影準備状態中にＤＩＳＰボタンを押下した場合の動作を示すフローチャートである。
【図１０】液晶モニタの消灯状態の画面を示す図である。
【図１１】カメラで画像再生表示中にＤＩＳＰボタンを押下した場合の動作を示すフローチャートである。
【図１２】液晶モニタの簡易撮影画像情報表示画面を示す図である。
【図１３】液晶モニタの撮影画像情報表示画面を示す図である。
【図１４】液晶モニタの画像のみ再生表示画面を示す図である。
【図１５】カメラのメニュー表示状態あるいはＩＮＦＯ表示状態でのＤＩＳＰボタンを押下した場合の動作を示すフローチャートである。
【図１６】液晶モニタのメニュー表示画面を示す図である。
【図１７】液晶モニタのＩＮＦＯ表示画面を示す図である。
【図１８】カメラのＢＵＬＢ撮影時のＤＩＳＰボタンの状態変化に対する動作を示すフローチャートである。
【図１９】液晶モニタのＢＵＬＢ撮影時の露光経過時間表示画面を示す図である。
【図２０】カメラの測距モードの選択動作シーケンスに関する動作を示すフローチャートである。
【図２１】液晶モニタの撮影準備状態での測距モード表示を示す図である。
【図２２】液晶モニタの測距モード選択状態の表示（ＯＮＥ  ＳＨＯＴ）を示す図である。
【図２３】液晶モニタの測距モード選択状態の表示（ＡＩ  ＦＯＣＵＳ）を示す図である。
【図２４】液晶モニタの測距モード選択状態の表示（ＡＩ  ＳＥＲＶＯ）を示す図である。
【図２５】液晶モニタのホワイトバランス選択状態の表示を示す図である。
【図２６】液晶モニタの測光モード選択状態の表示を示す図である。
【図２７】液晶モニタのドライブモード選択状態の表示を示す図である。
【図２８ａ】カメラのＡＦ測距点の選択動作シーケンスに関する動作を示すフローチャートである。
【図２８ｂ】カメラのＡＦ測距点の選択動作シーケンスに関する動作を示すフローチャートである。
【図２９】液晶モニタの撮影準備状態での選択測距点情報表示を示す図である。
【図３０】液晶モニタの測距点選択状態の表示（自動選択）を示す図である。
【図３１】液晶モニタの測距点選択状態の表示（中央選択）を示す図である。
【図３２】液晶モニタの測距点選択状態の表示（上選択）を示す図である。
【図３３】液晶モニタの測距点選択状態の表示（下選択）を示す図である。
【図３４】液晶モニタの測距点選択状態の表示（右選択）を示す図である。
【図３５】液晶モニタの測距点選択状態の表示（左選択）を示す図である。
【図３６】カメラの液晶モニタ表示オン状態での起動時の異物除去動作及び表示シーケンスに関する動作を示すフローチャートである。
【図３７】液晶モニタのカメラ起動時における異物除去動作中の表示を示す図である。
【図３８】液晶モニタの撮影情報表示状態（測光タイマ中）の表示を示す図である。
【図３９】カメラの液晶モニタ表示オフ状態での起動時の異物除去動作シーケンスに関する動作を示すフローチャートである。
【図４０】カメラの電源がオフされた場合の異物除去動作処理に関する動作を示すフローチャートである。
【図４１】液晶モニタのカメラ電源オフ時で任意実行時の異物除去動作中の表示を示す図である。
【図４２ａ】カメラのメニュー操作での異物除去動作実行に関する動作を示すフローチャートである。
【図４２ｂ】カメラのメニュー操作での異物除去動作実行に関する動作を示すフローチャートである。
【図４３】液晶モニタのカメラ各種設定のメニューの表示を示す図である。
【図４４】液晶モニタの異物除去設定のメニューの表示を示す図である。
【図４５】液晶モニタの異物除去自動実行の設定メニューの表示を示す図である。
【図４６】液晶モニタの異物除去自動実行の設定メニューの表示を示す図である。
【符号の説明】
【０１４３】
１０  ディスプレイオフセンサ
２８  液晶モニタ（表示手段）
５０  システムコントローラ（表示制御手段）
【図１】
2008035389.tif 000003
【図２】
2008035389.tif 000004
【図３】
2008035389.tif 000005
【図４】
2008035389.tif 000006
【図５】
2008035389.tif 000007
【図６】
2008035389.tif 000008
【図７】
2008035389.tif 000009
【図８】
2008035389.tif 000010
【図９】
2008035389.tif 000011
【図１０】
2008035389.tif 000012
【図１１】
2008035389.tif 000013
【図１２】
2008035389.tif 000014
【図１３】
2008035389.tif 000015
【図１４】
2008035389.tif 000016
【図１５】
2008035389.tif 000017
【図１６】
2008035389.tif 000018
【図１７】
2008035389.tif 000019
【図１８】
2008035389.tif 000020
【図１９】
2008035389.tif 000021
【図２０】
2008035389.tif 000022
【図２１】
2008035389.tif 000023
【図２８ａ】
2008035389.tif 000024
【図２８ｂ】
2008035389.tif 000025
【図２９】
2008035389.tif 000026
【図３０】
2008035389.tif 000027
【図３１】
2008035389.tif 000028
【図３２】
2008035389.tif 000029
【図３３】
2008035389.tif 000030
【図３４】
2008035389.tif 000031
【図３５】
2008035389.tif 000032
【図３６】
2008035389.tif 000033
【図３７】
2008035389.tif 000034
【図３８】
2008035389.tif 000035
【図３９】
2008035389.tif 000036
【図４０】
2008035389.tif 000037
【図４１】
2008035389.tif 000038
【図４２ａ】
2008035389.tif 000039
【図４２ｂ】
2008035389.tif 000040
【図４３】
2008035389.tif 000041
【図４４】
2008035389.tif 000042
【図４５】
2008035389.tif 000043
【図４６】
2008035389.tif 000044
【図２２】
2008035389.tif 000045
【図２３】
2008035389.tif 000046
【図２４】
2008035389.tif 000047
【図２５】
2008035389.tif 000048
【図２６】
2008035389.tif 000049
【図２７】
2008035389.tif 000050